(57)【要約】【課題】  安価で各弾性ワイヤを所定通り平行して精密に張ること。【解決手段】  レンズホルダ７の両側面７ａに細溝２７が形成され、該細溝２７に紫外線硬化機能付き熱硬化性接着剤２９が塗布され、その紫外線硬化機能付き熱硬化性接着剤２９を間に挟んでレンズホルダ７の両側面７ａに各接続基板１２が配置されており、紫外線３０を照射して紫外線硬化機能付き熱硬化性接着剤２９を半硬化させて各接続基板１２を仮固定した後、加熱炉で高温加熱して紫外線硬化機能付き熱硬化性接着剤２９を完全硬化させることにより、各接続基板１２がレンズホルダ７の両側面７ａに本固定されるようにした。【選択図】        図１
2007287263.tif 000002
【特許請求の範囲】
【請求項１】
アクトベース上に止着したゲルボックスと、該ゲルボックスに対向してアクトベースの
上方に配置したコイル付きレンズホルダとを有し、該レンズホルダの両側面に一対のラン
ド付き接続基板が固定され、前記ゲルボックスの背面から両側面にかけてフレキシブルプ
リント配線からなるランド付き接続配線が略コ字状に折り曲げられて固定され、前記各接
続基板のランドに一端を半田付けした複数の弾性ワイヤの他端が接続配線の両端部に形成
したランドに半田付けされており、接続配線から各弾性ワイヤ及び各接続基板を介してコ
イルに通電することによりレンズホルダを駆動し、該レンズホルダに設けた対物レンズを
通してディスクにレーザ光を投射し、その反射光を受光してディスクに記録されている情
報を読み取るようにした光ピックアップにおいて、前記レンズホルダの両側面に細溝が形
成され、該細溝に紫外線硬化機能付き熱硬化性接着剤が塗布され、その紫外線硬化機能付
き熱硬化性接着剤を間に挟んでレンズホルダの両側面に前記各接続基板が配置されており
、紫外線を照射して紫外線硬化機能付き熱硬化性接着剤を半硬化させて各接続基板を仮固
定した後、加熱炉で高温加熱して紫外線硬化機能付き熱硬化性接着剤を完全硬化させるこ
とにより、各接続基板がレンズホルダの両側面に本固定され、前記ゲルボックスの両側面
のほぼ中央に該ゲルボックスの上下面に露出する凹溝が形成され、前記接続配線をゲルボ
ックスの背面から両側面にかけて略コ字状に折り曲げて該接続配線の両端部により各凹溝
の側面開口部が塞がれ、前記各凹溝内に紫外線硬化機能付き熱硬化性接着剤が充填されて
おり、紫外線を照射して紫外線硬化機能付き熱硬化性接着剤を半硬化させて接続配線の両
端部を仮固定した後、加熱炉で高温加熱して紫外線硬化機能付き熱硬化性接着剤を完全硬
化させることにより、各接続配線の両端部がゲルボックスの両側面に本固定されるように
したことを特徴とする光ピックアップ。
【請求項２】
アクトベース上に止着したゲルボックスと、該ゲルボックスに対向してアクトベースの
上方に配置したコイル付きレンズホルダとを有し、該レンズホルダの両側面に一対のラン
ド付き接続基板が固定され、前記ゲルボックスの背面から両側面にかけてフレキシブルプ
リント配線からなるランド付き接続配線が略コ字状に折り曲げられて固定され、前記各接
続基板のランドに一端を半田付けした複数の弾性ワイヤの他端が接続配線の両端部に形成
したランドに半田付けされており、接続配線から各弾性ワイヤ及び各接続基板を介してコ
イルに通電することによりレンズホルダを駆動し、該レンズホルダに設けた対物レンズを
通してディスクにレーザ光を投射し、その反射光を受光してディスクに記録されている情
報を読み取るようにした光ピックアップにおいて、前記レンズホルダの両側面に細溝が形
成され、該細溝に紫外線硬化機能付き熱硬化性接着剤が塗布され、その紫外線硬化機能付
き熱硬化性接着剤を間に挟んでレンズホルダの両側面に前記各接続基板が配置されており
、紫外線を照射して紫外線硬化機能付き熱硬化性接着剤を半硬化させて各接続基板を仮固
定した後、加熱炉で高温加熱して紫外線硬化機能付き熱硬化性接着剤を完全硬化させるこ
とにより、各接続基板がレンズホルダの両側面に本固定されるようにしたことを特徴とす
る光ピックアップ。
【請求項３】
アクトベース上に止着したゲルボックスと、該ゲルボックスに対向してアクトベースの
上方に配置したコイル付きレンズホルダとを有し、該レンズホルダの両側面に一対のラン
ド付き接続基板が固定され、前記ゲルボックスの背面から両側面にかけてフレキシブルプ
リント配線からなるランド付き接続配線が略コ字状に折り曲げられて固定され、前記各接
続基板のランドに一端を半田付けした複数の弾性ワイヤの他端が接続配線の両端部に形成
したランドに半田付けされており、接続配線から各弾性ワイヤ及び各接続基板を介してコ
イルに通電することによりレンズホルダを駆動し、該レンズホルダに設けた対物レンズを
通してディスクにレーザ光を投射し、その反射光を受光してディスクに記録されている情
報を読み取るようにした光ピックアップにおいて、前記ゲルボックスの両側面のほぼ中央
に該ゲルボックスの上下面に露出する凹溝が形成され、前記接続配線をゲルボックスの背
面から両側面にかけて略コ字状に折り曲げて該接続配線の両端部により各凹溝の側面開口
部が塞がれ、前記各凹溝内に紫外線硬化機能付き熱硬化性接着剤が充填されており、紫外
線を照射して紫外線硬化機能付き熱硬化性接着剤を半硬化させて接続配線の両端部を仮固
定した後、加熱炉で高温加熱して紫外線硬化機能付き熱硬化性接着剤を完全硬化させるこ
とにより、各接続配線の両端部がゲルボックスの両側面に本固定されるようにしたことを
特徴とする光ピックアップ。
【請求項４】
アクトベース上に止着したゲルボックスと、該ゲルボックスに対向してアクトベースの
上方に配置したコイル付きレンズホルダとを有し、該レンズホルダの両側面に一対のラン
ド付き接続基板が固定され、前記ゲルボックスの背面から両側面にかけてフレキシブルプ
リント配線からなるランド付き接続配線が略コ字状に折り曲げられて固定され、前記各接
続基板のランドに一端を半田付けした複数の弾性ワイヤの他端が接続配線の両端部に形成
したランドに半田付けされており、接続配線から各弾性ワイヤ及び各接続基板を介してコ
イルに通電することによりレンズホルダを駆動し、該レンズホルダに設けた対物レンズを
通してディスクにレーザ光を投射し、その反射光を受光してディスクに記録されている情
報を読み取るようにした光ピックアップにおいて、前記レンズホルダの両側面に形成した
細溝に紫外線硬化機能付き熱硬化性接着剤を塗布し、その紫外線硬化機能付き熱硬化性接
着剤を間に挟んでレンズホルダの両側面に前記各接続基板を配置し、紫外線を照射して紫
外線硬化機能付き熱硬化性接着剤を半硬化させて各接続基板を仮固定した後、加熱炉で高
温加熱して紫外線硬化機能付き熱硬化性接着剤を完全硬化させることにより、各接続基板
をレンズホルダの両側面に本固定し、前記ゲルボックスの両側面のほぼ中央に該ゲルボッ
クスの上下面に露出する凹溝が形成され、前記接続配線をゲルボックスの背面から両側面
にかけて略コ字状に折り曲げて該接続配線の両端部により各凹溝の側面開口部を塞いだ状
態を治具で保持し、前記各凹溝内に紫外線硬化機能付き熱硬化性接着剤を充填し、紫外線
を照射して紫外線硬化機能付き熱硬化性接着剤を半硬化させて接続配線の両端部を仮固定
した後、前記治具を取り外し、加熱炉で高温加熱して紫外線硬化機能付き熱硬化性接着剤
を完全硬化させることにより、各接続配線の両端部をゲルボックスの両側面に本固定し、
前記各接続基板のランドに各弾性ワイヤの一端を半田付けすると共に、該各弾性ワイヤの
他端を接続配線の両端部のランドに半田付けすることを特徴とする光ピックアップの組立
方法。
【発明の詳細な説明】
【技術分野】
【０００１】
本発明は、ディスク装置（例えばＤＶＤレコーダやＤＶＤプレーヤなど）に使用される
光ピックアップとその組立方法に関し、特に、安価で各弾性ワイヤを所定通り平行して精
密に張ることができるようにする。
【背景技術】
【０００２】
従来、光ピックアップの技術の一例として図４に示すものがある。これは、ガイドレー
ル１に支持されてディスク（図示せず）の半径方向に沿って往復移動ａ，ｂ可能な金属製
スライドベース２上にアクチュエータ３を配置したものであって、該アクチュエータ３が
、スライドベース２上の所定位置に固定した金属製アクトベース４と、該アクトベース４
上にビス５により止着した合成樹脂製ゲルボックス６と、該ゲルボックス６に対向してア
クトベース４の上方に配置した対物レンズＯＬ付きレンズホルダ７と、該レンズホルダ７
に取り付けた複数のコイル（フォーカスコイル、トラッキングコイル及びチルトコイル）
８に接近してアクトベース４から切り起こした支持板４ａに固定したマグネット９と、ア
クトベース４から切り起こされてレンズホルダ７内に挿通されたヨーク４ｂとを有してい
る。
【０００３】
前記レンズホルダ７の両側面７ａに一対のランド１１付き接続基板１２が固定されてお
り、その組立方法を説明すると、図５（ａ）に示すように、レンズホルダ７の両側面７ａ
に注入器１３により熱硬化性接着剤１４を塗布し、図５（ｂ）に示すように、熱硬化性接
着剤１４を間に挟んでレンズホルダ７の両側面７ａに各接続基板１２を配置し、注入ノズ
ル１５によりレンズホルダ７の両側面７ａと各接続基板１２との間の隙間に瞬間接着剤１
６を注入することにより、各接続基板１２をレンズホルダ７の両側面７ａに仮固定し、図
示していない加熱炉に接続基板１２付きレンズホルダ７を入れて例えば８０°Ｃで２０〜
３０分加熱して熱硬化性接着剤１４を完全硬化させることにより、各接続基板１２をレン
ズホルダ７の両側面７ａに本固定する。
【０００４】
前記ゲルボックス６の背面６ａから両側面６ｂにかけてフレキシブルプリント配線から
なるランド１８付き接続配線１９が略コ字状に折り曲げられて固定されており、その組立
方法を説明すると、図６（ａ）に示すように、ゲルボックス６の背面６ａに一対の位置決
め突起２０が一体突設されると共に、該各位置決め突起２０に対向して接続配線１９の中
央部に位置決め孔２１が貫設され、ゲルボックス６の両側面６ｂのほぼ中央に該ゲルボッ
クス６の上下面に露出する凹溝２２が形成されており、注入ノズル１５により瞬間接着剤
１６をゲルボックス６の両側面６ｂに塗布した後、図６（ｂ）に示すように、接続配線１
９をゲルボックス６の背面６ａから両側面６ｂにかけて略コ字状に折り曲げて該接続配線
１９の両端部１９ａにより各凹溝２２の側面開口部を塞ぎ、その接続配線１９の両端部１
９ａが元の直線状態に戻らないように前記瞬間接着剤１６で仮固定し、注入器１３により
熱硬化性接着剤１４を各凹溝２２内に充填する〔図６（ｃ）参照〕。次に、図示していな
い加熱炉に接続配線１９付きゲルボックス６を入れて例えば８０°Ｃで２０〜３０分加熱
して熱硬化性接着剤１４を完全硬化させることにより、接続配線１９の両端部１９ａをゲ
ルボックス６の両側面６ｂに本固定する。
【０００５】
レンズホルダ７とゲルボックス６との組立方法を説明すると、図４に示すように、各接
続基板１２のランド１１に複数（この例では３本）の弾性ワイヤ２４の一端を半田付けＰ
した後、該各弾性ワイヤ２４の他端を接続配線１９の両端部１９ａのランド１８に半田付
けＰして、その各弾性ワイヤ２４を介してレンズホルダ７とゲルボックス６とを連結する
。なお、図４に示すように、接続配線１９はスライドベース２上の制御基板２５に接続さ
れ、ゲルボックス６内にゲルＧが充填され、そのゲルＧ中に各弾性ワイヤ１５が挿通され
ている。
【０００６】
情報読取手順を説明すると、ディスク装置に内蔵したマイコンからなる制御部の制御に
より、制御基板２５から接続配線１９及び各弾性ワイヤ２４を介して各コイル８に通電し
てレンズホルダ７を駆動し、対物レンズＯＬを通してディスクにレーザ光を投射し、その
反射光を受光してディスクに記録されている情報を読み取る。なお、本発明と関連する特
許文献１として下記のものがある。
【特許文献１】特開２００２−３５２４４５号公報
【発明の開示】
【発明が解決しようとする課題】
【０００７】
上記従来の構成では、接続基板１２及び接続配線１９を仮固定するために比較的高価な
瞬間接着剤１６を用いているから、材料費が高くつくと共に、瞬間接着剤１６を塗布する
ための注入ノズル１５や注入ポンプなどの塗布設備が必要であって、設備費も高くつく。
【０００８】
また、図７（ａ）に示すように、瞬間接着剤１６で接続配線１９の両端部１９ａを仮固
定したときには、熱硬化性接着剤１４がまだ硬化せず流動状態なので、瞬間接着剤１６を
ゲルボックス６の両側面６ｂに全面的に均等に塗布する必要があり、それが均等に塗布さ
れず、塗りむらが生じたときには、その塗りむらによる塗布不足部分が熱硬化性接着剤１
４により押されて、その熱硬化性接着剤１４が凹溝２２内からわずかに流れ出ることによ
り、接続配線１９の両端部１９ａが部分的に剥がれることがあり〔図７（ａ）仮想線参照
〕、そのままの状態で熱硬化性接着剤１４を加熱炉で完全硬化させると、接続配線１９の
両端部１９ａが部分的に剥がれた状態で本固定される。従って、図７（ｂ）に示すように
、接続配線１９の各ランド１８に各弾性ワイヤ２４の他端を半田付けＰしたときに、該各
弾性ワイヤ２４の他端に折曲部分Ａが生じて、その各弾性ワイヤ２４を所定通り平行して
精密に張ることが困難な状態となり、レンズホルダ７の駆動に悪影響を与えるおそれがあ
る。
【０００９】
本発明は、上記従来の欠点に鑑み、安価で各弾性ワイヤを所定通り平行して精密に張る
ことができるようにした光ピックアップとその組立方法を提供すること目的としている。
【課題を解決するための手段】
【００１０】
上記目的を達成するため、請求項１に記載の発明は、アクトベース上に止着したゲルボ
ックスと、該ゲルボックスに対向してアクトベースの上方に配置したコイル付きレンズホ
ルダとを有し、該レンズホルダの両側面に一対のランド付き接続基板が固定され、前記ゲ
ルボックスの背面から両側面にかけてフレキシブルプリント配線からなるランド付き接続
配線が略コ字状に折り曲げられて固定され、前記各接続基板のランドに一端を半田付けし
た複数の弾性ワイヤの他端が接続配線の両端部に形成したランドに半田付けされており、
接続配線から各弾性ワイヤ及び各接続基板を介してコイルに通電することによりレンズホ
ルダを駆動し、該レンズホルダに設けた対物レンズを通してディスクにレーザ光を投射し
、その反射光を受光してディスクに記録されている情報を読み取るようにした光ピックア
ップにおいて、前記レンズホルダの両側面に細溝が形成され、該細溝に紫外線硬化機能付
き熱硬化性接着剤が塗布され、その紫外線硬化機能付き熱硬化性接着剤を間に挟んでレン
ズホルダの両側面に前記各接続基板が配置されており、紫外線を照射して紫外線硬化機能
付き熱硬化性接着剤を半硬化させて各接続基板を仮固定した後、加熱炉で高温加熱して紫
外線硬化機能付き熱硬化性接着剤を完全硬化させることにより、各接続基板がレンズホル
ダの両側面に本固定され、前記ゲルボックスの両側面のほぼ中央に該ゲルボックスの上下
面に露出する凹溝が形成され、前記接続配線をゲルボックスの背面から両側面にかけて略
コ字状に折り曲げて該接続配線の両端部により各凹溝の側面開口部が塞がれ、前記各凹溝
内に紫外線硬化機能付き熱硬化性接着剤が充填されており、紫外線を照射して紫外線硬化
機能付き熱硬化性接着剤を半硬化させて接続配線の両端部を仮固定した後、加熱炉で高温
加熱して紫外線硬化機能付き熱硬化性接着剤を完全硬化させることにより、各接続配線の
両端部がゲルボックスの両側面に本固定されるようにしたことを特徴としている。
【００１１】
請求項２に記載の発明は、アクトベース上に止着したゲルボックスと、該ゲルボックス
に対向してアクトベースの上方に配置したコイル付きレンズホルダとを有し、該レンズホ
ルダの両側面に一対のランド付き接続基板が固定され、前記ゲルボックスの背面から両側
面にかけてフレキシブルプリント配線からなるランド付き接続配線が略コ字状に折り曲げ
られて固定され、前記各接続基板のランドに一端を半田付けした複数の弾性ワイヤの他端
が接続配線の両端部に形成したランドに半田付けされており、接続配線から各弾性ワイヤ
及び各接続基板を介してコイルに通電することによりレンズホルダを駆動し、該レンズホ
ルダに設けた対物レンズを通してディスクにレーザ光を投射し、その反射光を受光してデ
ィスクに記録されている情報を読み取るようにした光ピックアップにおいて、前記レンズ
ホルダの両側面に細溝が形成され、該細溝に紫外線硬化機能付き熱硬化性接着剤が塗布さ
れ、その紫外線硬化機能付き熱硬化性接着剤を間に挟んでレンズホルダの両側面に前記各
接続基板が配置されており、紫外線を照射して紫外線硬化機能付き熱硬化性接着剤を半硬
化させて各接続基板を仮固定した後、加熱炉で高温加熱して紫外線硬化機能付き熱硬化性
接着剤を完全硬化させることにより、各接続基板がレンズホルダの両側面に本固定される
ようにしたことを特徴としている。
【００１２】
請求項３に記載の発明は、アクトベース上に止着したゲルボックスと、該ゲルボックス
に対向してアクトベースの上方に配置したコイル付きレンズホルダとを有し、該レンズホ
ルダの両側面に一対のランド付き接続基板が固定され、前記ゲルボックスの背面から両側
面にかけてフレキシブルプリント配線からなるランド付き接続配線が略コ字状に折り曲げ
られて固定され、前記各接続基板のランドに一端を半田付けした複数の弾性ワイヤの他端
が接続配線の両端部に形成したランドに半田付けされており、接続配線から各弾性ワイヤ
及び各接続基板を介してコイルに通電することによりレンズホルダを駆動し、該レンズホ
ルダに設けた対物レンズを通してディスクにレーザ光を投射し、その反射光を受光してデ
ィスクに記録されている情報を読み取るようにした光ピックアップにおいて、前記ゲルボ
ックスの両側面のほぼ中央に該ゲルボックスの上下面に露出する凹溝が形成され、前記接
続配線をゲルボックスの背面から両側面にかけて略コ字状に折り曲げて該接続配線の両端
部により各凹溝の側面開口部が塞がれ、前記各凹溝内に紫外線硬化機能付き熱硬化性接着
剤が充填されており、紫外線を照射して紫外線硬化機能付き熱硬化性接着剤を半硬化させ
て接続配線の両端部を仮固定した後、加熱炉で高温加熱して紫外線硬化機能付き熱硬化性
接着剤を完全硬化させることにより、各接続配線の両端部がゲルボックスの両側面に本固
定されるようにしたことを特徴としている。
【００１３】
請求項４に記載の発明は、アクトベース上に止着したゲルボックスと、該ゲルボックス
に対向してアクトベースの上方に配置したコイル付きレンズホルダとを有し、該レンズホ
ルダの両側面に一対のランド付き接続基板が固定され、前記ゲルボックスの背面から両側
面にかけてフレキシブルプリント配線からなるランド付き接続配線が略コ字状に折り曲げ
られて固定され、前記各接続基板のランドに一端を半田付けした複数の弾性ワイヤの他端
が接続配線の両端部に形成したランドに半田付けされており、接続配線から各弾性ワイヤ
及び各接続基板を介してコイルに通電することによりレンズホルダを駆動し、該レンズホ
ルダに設けた対物レンズを通してディスクにレーザ光を投射し、その反射光を受光してデ
ィスクに記録されている情報を読み取るようにした光ピックアップにおいて、前記レンズ
ホルダの両側面に形成した細溝に紫外線硬化機能付き熱硬化性接着剤を塗布し、その紫外
線硬化機能付き熱硬化性接着剤を間に挟んでレンズホルダの両側面に前記各接続基板を配
置し、紫外線を照射して紫外線硬化機能付き熱硬化性接着剤を半硬化させて各接続基板を
仮固定した後、加熱炉で高温加熱して紫外線硬化機能付き熱硬化性接着剤を完全硬化させ
ることにより、各接続基板をレンズホルダの両側面に本固定し、前記ゲルボックスの両側
面のほぼ中央に該ゲルボックスの上下面に露出する凹溝が形成され、前記接続配線をゲル
ボックスの背面から両側面にかけて略コ字状に折り曲げて該接続配線の両端部により各凹
溝の側面開口部を塞いだ状態を治具で保持し、前記各凹溝内に紫外線硬化機能付き熱硬化
性接着剤を充填し、紫外線を照射して紫外線硬化機能付き熱硬化性接着剤を半硬化させて
接続配線の両端部を仮固定した後、前記治具を取り外し、加熱炉で高温加熱して紫外線硬
化機能付き熱硬化性接着剤を完全硬化させることにより、各接続配線の両端部をゲルボッ
クスの両側面に本固定し、前記各接続基板のランドに各弾性ワイヤの一端を半田付けする
と共に、該各弾性ワイヤの他端を接続配線の両端部のランドに半田付けすることを特徴と
している。
【発明の効果】
【００１４】
請求項１に記載の発明は実施の一形態（図１〜図５参照）に対応するものであって、こ
れによれば、各接続基板及び接続配線の仮固定及び本固定を紫外線硬化機能付き熱硬化性
接着剤だけで行うことができ、従来のように仮固定のために比較的高価な瞬間接着剤を使
用する必要がないから、材料費が安くつくと共に、瞬間接着剤を塗布するための注入ノズ
ルや注入ポンプなどの塗布設備が不要であって、設備費も安くつく。
【００１５】
また、紫外線を照射して紫外線硬化機能付き熱硬化性接着剤により接続配線の両端部を
ゲルボックスの両側面に仮固定したときに、その紫外線硬化機能付き熱硬化性接着剤が凹
溝内で半硬化されて外部に流出することがないので、その接続配線の両端部が従来のよう
に剥がれることがなく、接続配線の各ランドに各弾性ワイヤの他端を所定通りに精密に半
田付けすることができる。
【００１６】
請求項２に記載の発明によれば、接続基板の仮固定及び本固定を紫外線硬化機能付き熱
硬化性接着剤だけで行うことができ、従来のように仮固定のために比較的高価な瞬間接着
剤を使用する必要がないから、材料費が安くつくと共に、瞬間接着剤を塗布するための注
入ノズルや注入ポンプなどの塗布設備が不要であって、設備費も安くつく。
【００１７】
請求項３に記載の発明によれば、請求項２に記載の発明と同様に瞬間接着剤を使用して
いないので、材料費及び設備費が安くつくと共に、紫外線を照射して紫外線硬化機能付き
熱硬化性接着剤により接続配線の両端部をゲルボックスの両側面に仮固定したときに、そ
の紫外線硬化機能付き熱硬化性接着剤が凹溝内で半硬化されて外部に流出することがない
ので、その接続配線の両端部が従来のように剥がれないようにすることができる。
【００１８】
請求項４に記載の発明は光ピックアップの組立方法に関するものであって、これによれ
ば、請求項２及び３に記載の発明と同様に、接続配線の両端部がゲルボックスの両側面に
密着して剥がれないので、該接続配線の両端部に対して各弾性ワイヤの他端を曲げること
なく直線状態で半田付けして、該各弾性ワイヤを所定通り平行して精密に張ることができ
、レンズホルダの駆動に悪影響を与えるおそれがない。
【発明を実施するための最良の形態】
【００１９】
図１は本発明の実施の一形態である光ピックアップにおけるレンズホルダ７を示すもの
であって、該レンズホルダ７の両側面７ａに細溝２７が縦横に形成されており、その組立
方法を説明すると、図１（ａ）に示すように、注入器２８により紫外線硬化機能付き熱硬
化性接着剤２９を細溝２７に塗布し、図１（ｂ）に示すように、紫外線硬化機能付き熱硬
化性接着剤２９を間に挟んでレンズホルダ７の両側面７ａに各接続基板１２を配置し、紫
外線３０を照射して紫外線硬化機能付き熱硬化性接着剤２９を半硬化させて各接続基板１
２を仮固定した後、図示していない加熱炉に接続基板１２付きレンズホルダ７を入れて例
えば８０°Ｃで２０〜３０分加熱して紫外線硬化機能付き熱硬化性接着剤２９を完全硬化
させることにより、各接続基板１２をレンズホルダ７の両側面７ａに本固定する。上記以
外の構成は図４及び図５に示す構成とほぼ同じなので、同一部分に同一符号を付してその
説明を省略する。
【００２０】
上記構成によれば、接続基板１２の仮固定及び本固定を紫外線硬化機能付き熱硬化性接
着剤２９だけで行うことができ、従来のように仮固定のために比較的高価な瞬間接着剤１
６（図５参照）を使用する必要がないから、材料費が安くつくと共に、瞬間接着剤１６を
塗布するための注入ノズル１５や注入ポンプなどの塗布設備が不要であって、設備費も安
くつく。
【００２１】
図２は本発明の実施の一形態である光ピックアップにおけるゲルボックス６を示すもの
であって、その組立方法を説明すると、図２（ａ）に示すように、接続配線１９をゲルボ
ックス６の背面６ａから両側面６ｂにかけて略コ字状に折り曲げて該接続配線１９の両端
部１９ａにより各凹溝２２の側面開口部を塞ぎ、図２（ｂ）に示すように、その両端部１
９ａを治具３２の互いに接近離間可能なアーム３２ａ，３２ｂで挟持し、各凹溝２２内に
紫外線硬化機能付き熱硬化性接着剤２９を充填し、図２（ｃ）に示すように、紫外線３０
を照射して紫外線硬化機能付き熱硬化性接着剤２９を半硬化させて接続配線１９の両端部
１９ａを仮固定した後、図示していないが、前記治具３２を取り外し、その接続配線１９
付きゲルボックス６を加熱炉に入れて例えば８０°Ｃで２０〜３０分加熱して紫外線硬化
機能付き熱硬化性接着剤２９を完全硬化させることにより、接続配線１９の両端部１９ａ
をゲルボックス６の両側面６ｂに本固定する。なお、図２中、３３はゲルボックス６の両
側面６ｂの下縁に一体形成されて接続配線１９の下縁を支持するガイド片、３４は該各ガ
イド片３３の各凹溝２２に対向する凹溝対向部分を切欠いて形成した空気抜き孔であって
、凹溝２２内に紫外線硬化機能付き熱硬化性接着剤２９を確実に充填して該凹溝２２内に
空気溜まりが生じないようにする。上記以外の構成は図４及び図６に示す構成とほぼ同じ
なので、同一部分に同一符号を付してその説明を省略する。
【００２２】
上記構成によれば、瞬間接着剤１６（図６参照）を使用していないので、材料費及び設
備費が安くつくと共に、紫外線３０を照射して紫外線硬化機能付き熱硬化性接着剤２９に
より接続配線１９の両端部１９ａをゲルボックス６の両側面６ｂに仮固定したときに、そ
の紫外線硬化機能付き熱硬化性接着剤２９が凹溝２２内で半硬化されて外部に流出するこ
とがないので、その接続配線１９の両端部１９ａが従来のように剥がれないようにするこ
とができる（図７参照）。
【００２３】
レンズホルダ７とゲルボックス６との組立方法を図４を参照して説明すると、上記のよ
うにして仕上げたレンズホルダ７の各接続基板１２のランド１１に各弾性ワイヤ２４の一
端を半田付けＰすると共に、該各弾性ワイヤ２４の他端を接続配線１９の両端部１９ａの
ランド１８に半田付けＰする。
【００２４】
上記構成によれば、接続配線１９の両端部１９ａがゲルボックス６の両側面６ｂに密着
して剥がれないので、図３に示すように、該接続配線１９の両端部１９ａに対して各弾性
ワイヤ２４の他端を曲げることなく直線状態で半田付けＰすることができ、その各弾性ワ
イヤ２４の他端に従来のように折曲部分Ａ〔図７（ｂ）参照〕が生じず、各弾性ワイヤ２
４を所定通り平行して精密に張ることができ、レンズホルダ７の駆動に悪影響を与えるお
それがない。
【図面の簡単な説明】
【００２５】
【図１】（ａ）は本発明の実施の一形態である光ピックアップにおけるレンズホルダの接続基板仮固定前の斜視図、（ｂ）は同接続基板仮固定状態の斜視図である。
【図２】（ａ）は本発明の実施の一形態である光ピックアップにおけるゲルボックスの接続配線仮固定前の斜視図、（ｂ）は同紫外線硬化機能付き熱硬化性接着剤充填状態の斜視図、（ｃ）は同接続配線仮固定状態の斜視図である。
【図３】同仮固定状態の要部の拡大水平断面図である。
【図４】同従来の光ピックアップの斜視図である。
【図５】（ａ）は同レンズホルダの接続基板仮固定前の斜視図、（ｂ）は同接続基板仮固定状態の斜視図である。
【図６】（ａ）は同ゲルボックスの接続配線仮固定前の斜視図、（ｂ）は同紫外線硬化機能付き熱硬化性接着剤充填状態の斜視図、（ｃ）は同接続配線仮固定状態の斜視図である。
【図７】（ａ）は同仮固定状態の要部の拡大水平断面図、（ｂ）は同弾性ワイヤの半田付け状態を示す拡大水平断面図である。
【符号の説明】
【００２６】
４          アクトベース
６          ゲルボックス
６ａ        ゲルボックスの背面
６ｂ        ゲルボックスの側面
７          レンズホルダ
８          コイル
１１        ランド
１２        接続基板
１８        ランド
１９        接続配線
１９ａ      接続配線の端部
２２        凹溝
２４        弾性ワイヤ
２７        細溝
２９        紫外線硬化機能付き熱硬化性接着剤
３０        紫外線
３２        治具
ＯＬ        対物レンズ
Ｐ          半田付け
【図１】
2007287263.tif 000003
【図２】
2007287263.tif 000004
【図３】
2007287263.tif 000005
【図４】
2007287263.tif 000006
【図５】
2007287263.tif 000007
【図６】
2007287263.tif 000008
【図７】
2007287263.tif 000009